(57)【要約】【課題】様々な種類の撮影装置に対して、簡単に撮影を制限できるようにする。【解決手段】書き込み制御システム１０は、撮影装置１６に装着され撮影により取得された画像データを記憶するためのメモリカード１２と、撮影禁止エリア１５の入口及び出口に配置され、書き込み制御信号を送信するゲート１４とから構成される。メモリカード１２は、製品出荷時は画像データを書き込み可能な書き込み許可モードにセットされるとともに、ゲート１４を通過して書き込み制御信号を受信する毎に、前記書き込み許可モードと、画像データを書き込み不可能な書き込み禁止モードとの間で切り替えられる。これにより、撮影禁止エリア１５では撮影を行うことができず、撮影禁止エリア１５を退場することで撮影できる。【選択図】図１
2008041046.tif 000002
【特許請求の範囲】
【請求項１】
各種機器に装着して用いられ、装着された機器から送られた情報が書き込まれる記憶媒体において、
所定の場所に設置された送信装置から無線送信される書き込み制御信号を受信する受信手段と、
前記書き込み制御信号に基づいて、当該記憶媒体の動作モードを、前記情報の書き込みを許可する書き込み許可モードと、前記情報の書き込みを禁止する書き込み禁止モードとの間で切り替えるモード切り替え手段とを備えていることを特徴とする記憶媒体。
【請求項２】
前記送信装置は、前記情報の書き込みを禁止するエリアの入退場ゲートに設置され、前記入退場ゲートの通過域に対して前記書き込み制御信号を送信し、
前記モード切り替え手段は、前記書き込み制御信号を受信する毎に、前記動作モードの切り替えを行うことを特徴とする請求項１記載の記憶媒体。
【請求項３】
前記送信装置は、前記情報の書き込みを禁止するエリア全域に対して前記書き込み制御信号を送信し、
前記モード切り替え手段は、前記書き込み制御信号を受信している間は前記動作モードを前記書き込み禁止モードに保ち、前記書き込み制御信号を受信していない間は前記動作モードを前記書き込み許可モードに保つことを特徴とする請求項１記載の記憶媒体。
【請求項４】
各種機器に装着して用いられ、装着された機器から送られた情報が書き込まれる記憶媒体と、前記記憶媒体に対して、書き込み制御信号を無線送信する送信装置とから構成され、
前記記憶媒体は、前記送信装置から送られる書き込み制御信号を受信する受信手段と、前記書き込み制御信号に基づいて、前記記憶媒体の動作モードを、前記情報の書き込みを禁止する書き込み禁止モードと、前記情報の書き込みを許可する書き込み許可モードとの間で切り替え制御するモード切り替え手段とを備えていることを特徴とする記憶媒体の書き込み制御システム。
【請求項５】
前記送信装置は、前記情報の書き込みを禁止するエリアの入退場ゲートに設置され、前記入退場ゲートの通過域に対して前記書き込み制御信号を送信し、
前記モード切り替え手段は、前記入退場ゲートを通過して前記書き込み制御信号を受信する毎に、前記動作モードの切り替えが行われることを特徴とする請求項４記載の書き込み制御システム。
【請求項６】
前記送信装置は、前記情報の書き込みを禁止するエリア全域に対して前記書き込み制御信号を送信し、
前記モード切り替え手段は、前記書き込み制御信号を受信している間は前記書き込み禁止モードに保たれ、前記書き込み制御信号を受信していない間は前記書き込み許可モードに保たれることを特徴とする請求項４記載の書き込み制御システム。
【請求項７】
前記送信装置は、周波数が３０ＧＨｚ〜３００ＧＨｚのミリ波を用いて、前記書き込み制御信号を無線送信することを特徴とする請求項４〜６いずれか記載の書き込み制御システム。
【請求項８】
前記送信装置は、周波数が６０ＧＨｚ帯のミリ波を用いて、前記書き込み制御信号を無線送信することを特徴とする請求項７記載の書き込み制御システム。
【発明の詳細な説明】
【技術分野】
【０００１】
本発明は、所定のエリア内で書き込みを禁止できる記憶媒体、並びに、書き込み制御システムに関するものである。
【背景技術】
【０００２】
撮影した画像をデジタルな画像データとしてメモリカードなどの外部記憶媒体に記憶するデジタルカメラやデジタルビデオカメラ、カメラ付き携帯電話などの撮影装置が広く普及している。これら撮影装置は、普及に伴って小型化、軽量化が進み、携帯性に優れているため様々な場所に手軽に持ち込んで撮影を行うことができる。
【０００３】
ところで、著作権の問題や防犯上の問題などから撮影が禁止されている場所があり、このような場所では、例えば、監視員を配置して不正に撮影を行おうとする者を制止するようにしている。しかし、監視員を配置すると多大な人件費がかかってしまう。また、前述のように撮影装置は小型化されており、かつ、外観の異なる様々なタイプのものが存在するため、撮影を行っている者を発見し難くなっており、監視員を配置するだけでは撮影を制止できないケースも多い。
【０００４】
このため、下記特許文献１には、撮影禁止エリアまたはその入口に設置された装置から撮影禁止信号を送信することで撮影を制限できるようにした撮影装置が記載されている。この撮影装置によれば、手軽かつ確実に不正な撮影を防止できる。
【特許文献１】特開２００４−２３６９２号公報
【発明の開示】
【発明が解決しようとする課題】
【０００５】
しかしながら、撮影装置には様々な種類のものが存在するので、全ての撮影装置に対して上記特許文献１に記載されているような機能を付加することは難しいといった問題があった。また、不正な撮影に限らず、パソコンに記憶された持ち出し禁止のデータが、例えば、ＵＳＢメモリなどの外部記憶媒体にコピーされて持ち出されてしまうケースも多く問題であった。
【０００６】
本発明は、上記背景を鑑みてなされたものであり、不正な撮影やデータの持ち出しを簡単に制限できるようにすることを目的としている。
【課題を解決するための手段】
【０００７】
撮影された画像データは最終的にメモリカードなどの外部記憶媒体に記憶されるので、記憶媒体への書き込みを制限してしまえば結果的に不正な撮影を防止できる。また、記憶媒体への書き込みを制限することによって、この記憶媒体にデータをコピーして持ち出すこともできない。
【０００８】
上記知見に基づいて、本発明の記憶媒体は、各種機器に装着して用いられ、装着された機器から送られた情報が書き込まれる記憶媒体において、所定の場所に設置された送信装置から無線送信される書き込み制御信号を受信する受信手段と、前記書き込み制御信号に基づいて、当該記憶媒体の動作モードを、前記情報の書き込みを許可する書き込み許可モードと、前記情報の書き込みを禁止する書き込み禁止モードとの間で切り替えるモード切り替え手段とを備えていることを特徴としている。
【０００９】
また、本発明の書き込み制御システムは、各種機器に装着して用いられ、装着された機器から送られた情報が書き込まれる記憶媒体と、前記記憶媒体に対して、書き込み制御信号を無線送信する送信装置とから構成され、前記記憶媒体は、前記送信装置から送られる書き込み制御信号を受信する受信手段と、前記書き込み制御信号に基づいて、前記記憶媒体の動作モードを、前記情報の書き込みを禁止する書き込み禁止モードと、前記情報の書き込みを許可する書き込み許可モードとの間で切り替え制御するモード切り替え手段とを備えていることを特徴としている。
【００１０】
前記送信装置は、前記情報の書き込みを禁止するエリアの入退場ゲートに設置され、前記入退場ゲートの通過域に対して前記書き込み制御信号を送信し、前記モード切り替え手段は、前記書き込み制御信号を受信する毎に、前記動作モードの切り替えを行うものでもよい。
【００１１】
また、前記送信装置は、前記情報の書き込みを禁止するエリア全域に対して前記書き込み制御信号を送信し、前記モード切り替え手段は、前記書き込み制御信号を受信している間は前記動作モードを前記書き込み禁止モードに保ち、前記書き込み制御信号を受信していない間は前記動作モードを前記書き込み許可モードに保つものでもよい。
【００１２】
前記送信装置は、周波数が３０ＧＨｚ〜３００ＧＨｚのミリ波を用いて、前記書き込み制御信号を無線送信することが好ましく、さらには、周波数が６０ＧＨｚ帯のミリ波を用いて、前記書き込み制御信号を無線送信することが好ましい。
【発明の効果】
【００１３】
本発明によれば、送信装置から記憶媒体へ書き込み制御信号を送信することで、記憶媒体の動作モードを、書き込みを禁止する書き込み禁止モードと、書き込みを許可する書き込み許可モードとの間で切り替えることができるので、簡単に記憶媒体への書き込みを禁止することができる。これにより、不正な撮影やデータの持ち出しを簡単に防止できる。
【発明を実施するための最良の形態】
【００１４】
図１において、本発明の書き込み制御システム１０は、メモリカード１２と、ゲート１４とから構成される。メモリカード１２は、周知のフラッシュメモリを、カード型にパッケージしたものであり、デジタルカメラなどの撮影装置１６に装着され、撮影により取得された画像データを記憶するために用いられる。ゲート１４は、例えば、ビルや会議室、博物館や美術館など、撮影を禁止したいエリア（撮影禁止エリア）１５への入口及び出口に設置される。
【００１５】
詳しくは後述するが、メモリカード１２は、書き込みが可能な書き込み許可モードと、書き込みが不可能な書き込み禁止モードとの２つの動作モードを備えている。そして、書き込み制御システム１０は、メモリカード１２が単体または撮影装置１６に装着された状態でゲート１４を通過して撮影禁止エリア１５に持ち込まれた場合、メモリカード１２を書き込み禁止モードへ移行させる。また、メモリカード１２がゲート１４を通過して撮影禁止エリア１５から持ち出された場合、メモリカード１２を書き込み許可モードへ移行させる。
【００１６】
図２において、メモリカード１２は、入出力インターフェイス（Ｉ／Ｆ）２０と記憶部２２とを備えている。Ｉ／Ｆ２０は、図示しない接続端子を備え、メモリカード１２が撮影装置１６に装着されると、この接続端子が撮影装置１６側の接続端子に接触するようになっている。これにより、撮影装置１６とメモリカード１２とが電気的に接続され、画像データの授受が可能となる。
【００１７】
記憶部２２は、データの書き込み及び消去が電気的に可能であり、かつ、電源の供給がない場合であっても記憶されたデータを保持可能なフラッシュメモリから構成される。そして、記憶部２２には、撮影装置１６から送られた画像データが記憶される。
【００１８】
また、メモリカード１２には、通信部２４と、スイッチ部２６と、これらを駆動制御する制御部２８とが設けられている。通信部２４は、周知の無線通信方式を用いて、ゲート１４に設けられた送信部３０と通信し、送信部３０から送られる書き込み制御信号を受信する。
【００１９】
送信部３０は、例えば、ゲート１４の天井部分に設置され（図１参照）、ゲート１４の内側（通過領域）へ向けて書き込み制御信号を発信する。そして、通信部２４は、メモリカード１２がゲート１４を通過する際に書き込み制御信号を受信する。なお、書き込み制御信号は、ゲート１４の通過領域にのみ送信されればよいため、空間減衰量が大きく、電波が遠くまで届きにくい周波数が３０ＧＨｚ〜３００ＧＨｚのミリ波を用いて送信することが好ましい。さらには、このミリ波として、免許の申請などの手続きを必要としないように、出力を抑えた６０ＧＨｚ帯のミリ波を用いることが好ましい。
【００２０】
スイッチ部２６は、Ｉ／Ｆ２０と記憶部２２との間に設けられ、制御部２８による制御のもと、撮影装置１６から送られた画像データを記憶部２２へ中継し、記憶部２２への書き込みを可能とする状態と、前記中継を行わず、記憶部２２への書き込みを不可能とする状態との間で移行する。制御部２８は、書き込み制御信号を受信する毎に、スイッチ部２６を制御して、前述した２つの状態を切り替える。これにより、メモリカード１２は、ゲート１４を通過する毎に、書き込み許可モードと書き込み禁止モードとが切り替えられる。
【００２１】
以下、上記構成による本発明の作用について説明する。メモリカード１２は、撮影装置１６に装着され、撮影により取得された画像データを記憶するために用いられる。メモリカード１２は、出荷の段階では書き込み許可モードにセットされており、撮影装置１６に装着された状態で撮影が行われると、撮影により取得された画像データが書き込まれて記憶される。
【００２２】
図３に示すように、メモリカード１２は、単体もしくは撮影装置１６に装着された状態でゲート１４を通過し、撮影禁止エリア１５に持ち込まれると、書き込み禁止モードに切り替えられる。これにより、撮影禁止エリア１５では、メモリカード１２に画像データを書き込むことができなくなり、結果として撮影を行うことができなくなる。
【００２３】
また、撮影禁止エリア１５に持ち込まれたメモリカード１２は、再度ゲート１４を通過して撮影禁止エリア１５から持ち出されると、書き込み許可モードに切り替えられる。これにより、撮影により取得された画像データをメモリカード１２に書き込んで記憶できるようになる。
【００２４】
なお、上記実施形態では、ゲートを通過する毎に書き込み許可モードと書き込み禁止モードとが切り替えられる例で説明をしたが、本発明はこれに限定されるものではない。例えば、上記実施形態のゲートに代えて、撮影禁止エリア全域に対して書き込み制御信号として書き込み禁止信号を送信する送信装置を設け、図４に示すように、通信部が書き込み禁止信号を受信している間、制御部がメモリカードを書き込み禁止モードに保ち、通信部が書き込み禁止信号を受信していない間、制御部がメモリカードを書き込み許可モードに保つようにしてもよい。
【００２５】
また、上記実施形態では、記憶媒体としてデジタルカメラなどの撮影装置に搭載されるメモリカードを用い、このメモリカードへの書き込みを制限する例で説明をしたが、本発明はこれに限定されるものではない。例えば、記憶媒体としてフラッシュメモリにＵＳＢコネクタを取り付けてパッケージ化したいわゆるＵＳＢメモリを用い、このＵＳＢメモリへの書き込みを制限してもよい。
【００２６】
ＵＳＢメモリは、パソコンに接続することによって、パソコンに記憶されたデータをコピーすることが可能である。このため、所定のエリア内においてＵＳＢメモリへの書き込みを制限すれば、このエリア内に設置されたパソコンから不正にデータが持ち出されるといった問題を防止できる。もちろん、メモリカードやＵＳＢメモリ以外の記憶媒体を用い、所定のエリア内において、この記憶媒体への記憶を制限してもよい。また、記憶媒体の記憶部としては、上記実施形態で説明したフラッシュメモリ以外の不揮発性メモリ、例えば、ＦｅＲＡＭ（強誘電体メモリ）や、ＭＲＡＭ（磁気抵抗メモリ）などを用いてもよい。
【図面の簡単な説明】
【００２７】
【図１】書き込み制御システムの構成を表す説明図である。
【図２】書き込み制御システムの構成を表すブロック図である。
【図３】モードの切り替え手順を表すフローチャートである。
【図４】モードの切り替え手順を表すフローチャートである。
【符号の説明】
【００２８】
１０  書き込み制御システム
１２  メモリカード
１４  ゲート
１５  撮影禁止エリア
１６  撮影装置
２０  接続端子
２２  記憶部
２４  通信部
２６  スイッチ部
２８  制御部
３０  送信部
【図１】
2008041046.tif 000003
【図２】
2008041046.tif 000004
【図３】
2008041046.tif 000005
【図４】
2008041046.tif 000006